(57)【要約】【課題】光源をサブフレーム発光かつスキャン点灯させても、フリッカを抑制する。【解決手段】本発明の表示装置は、複数の光源を有する発光手段と、前記発光手段が発する光をフレームに基づいて変調することで画像を表示する表示手段と、各光源の発光強度をサブフレームごとに決定する決定手段と、前記決定手段が決定した前記発光強度で、各光源の点灯をサブフレームごとに制御する制御手段と、を備え、前記決定手段は、前記表示手段の変調の応答遅延によって生じる他の光源からの光の透過量である漏れ光量が低減するようサブフレームごとに各光源の前記発光強度を決定する。【選択図】図１
2019168594.tif 000002
【特許請求の範囲】
【請求項１】
複数の光源を有する発光手段と、
前記発光手段が発する光をフレームに基づいて変調することで画像を表示する表示手段と、
各光源の発光強度をサブフレームごとに決定する決定手段と、
前記決定手段が決定した前記発光強度で、各光源の点灯をサブフレームごとに制御する制御手段と、
を備え、
前記決定手段は、前記表示手段の変調の応答遅延によって生じる他の光源からの光の透過量である漏れ光量が低減するようサブフレームごとに各光源の前記発光強度を決定する、
ことを特徴とする表示装置。
【請求項２】
前記決定手段は、各光源に対応する領域間における前記漏れ光量差が小さくなるように前記発光強度を決定する、
ことを特徴とする請求項１に記載の表示装置。
【請求項３】
前記決定手段は、各光源に対応する前記表示手段の領域毎に前記漏れ光量を決定し、
前記漏れ光量の領域間における差分の最大値が第１の閾値以上の場合、前記発光手段の光量を漏れ光量の面内における差が低減するようサブフレームごとに前記発光強度を決定し、
前記漏れ光量の領域間における差分の最大値が第１の閾値未満の場合、現フレームに基づいて前記発光強度を決定する、
ことを特徴とする請求項２に記載の表示装置。
【請求項４】
前記決定手段は、前記発光手段の光量をサブフレームごとに徐々に変化させるように前記発光強度を決定する、
ことを特徴とする請求項１から３のいずれか１項に記載の表示装置。
【請求項５】
前記漏れ光量は、光源に対応する表示装置の領域に他の光源から照射される拡散光量に基づいて決定される、
ことを特徴とする請求項１から４のいずれか１項に記載の表示装置。
【請求項６】
前記拡散光量は、入力されたフレームに基づく前記領域毎の明るさ情報の変化量に基づいて決定される、
ことを特徴とする請求項５に記載の表示装置。
【請求項７】
前記表示手段は、入力されたフレームに基づいて前記光を透過する液晶パネルであって、
前記漏れ光量は、前記液晶パネルの応答遅延時間において前記拡散光量が前記領域を透過する割合である透過率変化量に基づいて決定される、
ことを特徴とする請求項５または６に記載の表示装置。
【請求項８】
前記透過率変化量は、画像データの画素値および液晶パネルの応答特性に基づいて決定される、
ことを特徴とする請求項７に記載の表示装置。
【請求項９】
前記決定手段は、前フレームの画像データと現フレームの画像データとに基づいて、応答特性を考慮してサブフレームごとに生成されるＬＵＴを用いて前記発光強度を決定する
、
ことを特徴とする請求項１から４のいずれか１項に記載の表示装置。
【請求項１０】
前記決定手段は、前記表示手段の駆動周波数も考慮して前記発光強度を決定する、
ことを特徴とする請求項１から９のいずれか１項に記載の表示装置。
【請求項１１】
個別に発光輝度を制御可能な複数の光源を有する発光手段と、
前記発光手段から照射された光を、フレームに基づいて透過して画像を表示する表示手段と、
前記フレームに基づく画像を表示するフレーム期間を分割したサブフレーム期間ごとに、各光源の前記発光手段の発光輝度を制御する制御手段と、
を備え、
前記制御手段は、ある光源のフレーム期間に含まれる複数のサブフレーム期間において、サブフレーム間の発光輝度の変化量が徐々に大きくなるように制御する、
ことを特徴とする表示装置。
【請求項１２】
各光源の発光輝度を設定する設定手段をさらに備え、
前記設定手段は、対象フレームの明るさに基づいて各光源の目標輝度を設定し、
前記制御手段は、前記対象フレームの前のフレームに基づいて各光源の発光輝度が制御された第１フレーム期間のうち最終サブフレームにおける各光源の発光輝度以上、前記設定手段に設定された各光源の前記目標輝度以下の範囲で、前記対象フレームに対応する第２フレーム期間に含まれる複数のサブフレームの各光源の発光輝度を制御する、
ことを特徴とする請求項１１に記載の表示装置。
【請求項１３】
複数の光源を有する発光手段と、
前記発光手段が発する光をフレームに基づいて変調することで画像を表示する表示手段と、
を備える表示装置の制御方法であって、
各光源の発光強度をサブフレームごとに決定する決定ステップと、
前記決定ステップにおいて決定された前記発光強度で、各光源の点灯をサブフレームごとに制御する制御ステップと、
を有し、
前記決定ステップでは、前記表示手段の変調の応答遅延によって生じる他の光源からの光の透過量である漏れ光量が低減するようサブフレームごとに各光源の前記発光強度を決定する、
ことを特徴とする表示装置の制御方法。
【請求項１４】
請求項１３に記載の方法の各ステップをコンピュータに実行させるためのプログラム。
【請求項１５】
請求項１４に記載のプログラムを記憶するコンピュータが読み取り可能な記憶媒体。
【発明の詳細な説明】
【技術分野】
【０００１】
本発明は、表示装置、表示装置の制御方法、プログラムおよび記憶媒体に関する。
【背景技術】
【０００２】
近年、液晶表示ディスプレイにおいて高いコントラスト表示を実現させる方式の１つとして、映像信号に合わせて光源の明るさを面内で変調するＬＤ（Ｌｏｃａｌ  Ｄｉｍｍｉｎｇ：ローカルディミング）制御技術がある。あるいは、映像信号に合わせて画面全体の光源輝度を変調するＧＤ（Ｇｌｏｂａｌ  Ｄｉｍｍｉｎｇ：グローバルディミング）制御技術もある。
【０００３】
一般に、液晶ディスプレイは、すべての画素の階調値を一斉に書き換えることができないため、映像が入力されたフレーム期間にわたり、液晶パネル上部から下部にかけて映像信号を書き換える順次走査を行っている。そして、光源はこの順次走査に合わせて、液晶パネルの上部から下部に向けて順次走査して発光を行うスキャン点灯を行っている。しかし、光源を１フレーム期間中に１回の明滅を行う場合、フリッカ（ちらつき）が視認されてしまう。このフリッカを低減するために、光源の明滅制御を、複数のサブフレームに分けて点灯させることが行われている。
【０００４】
ここで、バックライトの光源から発せられた光は、面内に拡散するため、液晶の透過率変化のタイミング（応答速度）と一致していないと、意図しない漏れ光（輝度変化）が発生する。そして、この漏れ光が大きくなると、フリッカとして視認されてしまう。
【０００５】
特に、フリッカを低減するために複数回のサブフレーム発光を行っている場合は、この拡散による漏れ光が大きくなり、フリッカが発生する頻度が高くなってしまう。このような課題を解決するために、フレーム間における画像の明るさの変化が暗い画像から明るい画像に切り替わったことを検出し、バックライトの明るさを変化させるタイミングを遅延させる技術（特許文献１）が開示されている。
【先行技術文献】
【特許文献】
【０００６】
【特許文献１】特開２０１５−０４９４８７号公報
【発明の概要】
【発明が解決しようとする課題】
【０００７】
しかしながら、特許文献１の技術では、上記の漏れ光を考慮していないため、映像信号に合わせてバックライトの明るさを変化させるＬＤ制御やＧＤ制御を行うと、漏れ輝度が発生して、フリッカが視認されてしまう。
【０００８】
そこで、本発明は、光源をサブフレーム発光させながらスキャン点灯させても、フリッカを抑制する技術を提供することを目的とする。
【課題を解決するための手段】
【０００９】
本発明の第一の態様は、
複数の光源を有する発光手段と、
前記発光手段が発する光をフレームに基づいて変調することで画像を表示する表示手段と、
各光源の発光強度をサブフレームごとに決定する決定手段と、
前記決定手段が決定した前記発光強度で、各光源の点灯をサブフレームごとに制御する制御手段と、
を備え、
前記決定手段は、前記表示手段の変調の応答遅延によって生じる他の光源からの光の透過量である漏れ光量が低減するようサブフレームごとに各光源の前記発光強度を決定する、
ことを特徴とする表示装置である。
【００１０】
本発明の第二の態様は、
個別に発光輝度を制御可能な複数の光源を有する発光手段と、
前記発光手段から照射された光を、フレームに基づいて透過して画像を表示する表示手段と、
前記フレームに基づく画像を表示するフレーム期間を分割したサブフレーム期間ごとに、各光源の前記発光手段の発光輝度を制御する制御手段と、
を備え、
前記制御手段は、ある光源のフレーム期間に含まれる複数のサブフレーム期間において、サブフレーム間の発光輝度の変化量が徐々に大きくなるように制御する、
ことを特徴とする表示装置である。
【００１１】
本発明の第三の態様は、
複数の光源を有する発光手段と、
前記発光手段が発する光をフレームに基づいて変調することで画像を表示する表示手段と、
を備える表示装置の制御方法であって、
各光源の発光強度をサブフレームごとに決定する決定ステップと、
前記決定ステップにおいて決定された前記発光強度で、各光源の点灯をサブフレームごとに制御する制御ステップと、
を有し、
前記決定ステップでは、前記表示手段の変調の応答遅延によって生じる他の光源からの光の透過量である漏れ光量が低減するようサブフレームごとに各光源の前記発光強度を決定する、
ことを特徴とする表示装置の制御方法である。
【００１２】
本発明の第四の態様は、上記方法の各ステップをコンピュータに実行させるためのプログラムである。
【００１３】
本発明の第五の態様は、上記プログラムを記憶するコンピュータが読み取り可能な記憶媒体である。
【発明の効果】
【００１４】
本発明によれば、光源をサブフレーム発光かつスキャン点灯させても、フリッカを抑制することができる。
【図面の簡単な説明】
【００１５】
【図１】実施形態１に係る表示装置の一例を示す機能ブロック図
【図２】実施形態１に係る制御エリアの一例を示す図
【図３】実施形態１に係る光源点灯位相情報ＴＡの一例を示す図
【図４】実施形態１に係る応答性テーブルデータの一例を示図
【図５】実施形態１に係る拡散情報テーブルデータの一例を示す図
【図６】実施形態１に係る映像信号の時間変化イメージの一例を示す図
【図７】従来手法に係る透過率変化と光源の点灯制御の一例を示す図
【図８】従来手法に係る漏れ光量の結果の一例を示す図
【図９】実施形態１に係る透過率変化と光源の点灯制御の一例を示す図
【図１０】実施形態１に係る漏れ光量の結果の一例を示す図
【図１１】従来手法および実施形態１に係る光源制御情報の一例を示す図
【図１２】従来手法および実施形態１に係る光源制御情報の一例を示す図
【図１３】実施形態２に係る表示装置の一例を示す機能ブロック図
【図１４】実施形態２に係る制御ゲインテーブルデータ構造の一例を示す図
【発明を実施するための形態】
【００１６】
［実施形態１］
以下、本発明の実施形態１について説明する。
【００１７】
＜概要＞
本実施形態に係る表示装置は、光源の明るさ情報と液晶パネルの応答情報とに基づいて、サブフレーム期間で発光させる光量を制御する動作について説明する。明るさ情報とは、映像信号のフレーム単位に決定される発光部の明るさを示す情報である。液晶パネルの応答情報とは、映像信号のフレーム単位に決定される液晶パネルの応答速度を示す情報である。本実施形態では、液晶パネルの応答速度に合わせた光量制御を行うことで、フリッカの低減を行っている。以下、本実施形態に係る表示装置の全体構成、処理内容、適用例について順に説明する。
【００１８】
＜全体構成＞
図１は、本実施形態に係る表示装置１００の一例を示す機能ブロック図である。表示装置１００は、演算装置（プロセッサ）、メモリ、記憶装置、入出力装置等を含む情報処理装置（コンピュータ）である。記憶装置に格納されたプログラムを表示装置１００が実行することで、表示装置１００の、表示部１０１、発光部１０２、コントラスト決定部１０３、画像処理部１０４、応答情報ＴＢＬ１０５および液晶応答検出部１０６等の機能が提供される。また、記憶装置に格納されたプログラムを表示装置１００が実行することで、表示装置１００の、光量変化検出部１０７、拡散情報ＴＢＬ１０８、漏光量検出部１０９、光量決定部１１０およびＬＥＤ駆動部１１１等の機能が提供される。これらの機能の一部または全部は、ＡＳＩＣやＦＰＧＡなどの専用の論理回路により実装されてもよい。
【００１９】
表示部１０１は、光源から発せられた光を透過することで画面に画像を表示する機能部である。表示部１０１は複数の液晶素子を有しており、各液晶素子の透過率は画像データに応じて制御される。光源（発光部１０２）から発せられた光が、入力された映像信号に応じた透過率で表示部１０１（各液晶素子）を透過することにより、画面に画像が表示される。なお、本実施形態に係る画像表示装置は、液晶表示素子以外の表示素子（ＭＥＭＳシャッター等）を用いることもできる。
【００２０】
発光部１０２は、表示部１０１の背面に光を照射する部材である。発光部１０２は、例えば、光源としてＬＥＤを用い、複数の制御エリア（横ｍ×縦ｎ）を有する。制御エリアは、ＬＥＤ駆動部１１１から出力されたバックライトの点灯制御信号を示す点灯制御信号Ｖに応じて駆動され、各制御エリアのＬＥＤは独立に（個別に）発光輝度が制御可能である。
【００２１】
図２は、発光部１０２の分割した制御エリアの一例を示す。図２では、制御エリア１０２０１および制御エリア１０２０２の２つのみである。
【００２２】
また、映像信号の垂直同期信号を基準として、制御エリアごとに点灯するタイミングを
示した情報を光源点灯位相情報ＴＡとする。この光源点灯位相情報ＴＡは、１フレーム期間中に複数回のサブフレーム発光させた場合の、点灯タイミング情報である。
【００２３】
図３は、光源点灯位相情報ＴＡの一例を示す。図３の縦軸は制御エリアの番号、横軸はサブサブフレームの発光回数を示し、各制御エリアの点灯タイミングを、１フレーム期間の開始時を０、終了を１として正規化した時間を示す。図３の光源点灯位相情報ＴＡは、制御エリア数が２つで、サブフレーム発光が２回の情報である。光源点灯位相情報ＴＡは、発光する制御エリアの位置を示す行番号，列番号をｍ，ｎとしＴＡｍ，ｎと表記する。また、サブフレーム番号をＳＮとしたときに、サブフレームＳＮの光源点灯位相情報をＴＡｍ，ｎ［ＳＮ］と表記する。例として制御エリア１０２０２の光源点灯位相情報ＴＡ１，０は、図３からサブフレームＳＮ＝１のとき（ＴＡ１，０［１］）は１．０、サブフレームＳＮ＝２のとき（ＴＡ１，０［２］）は１．５である。このサブフレームＳＮが１のときの値が１．０となっている理由は、液晶の応答が０．５フレームかかり、かつ、液晶の上から下にかけての順次スキャン遅延の約０．５フレームを加算するためである。
【００２４】
コントラスト決定部１０３は、入力された映像信号に応じて、表示部１０１の信号ゲイン情報ｂｓと、発光部１０２の各制御エリアの光源明るさ情報ｂｄとを決定する機能部である。信号ゲイン情報ｂｓとは、入力映像信号に対して乗算する係数情報である。光源明るさ情報ｂｄとは、発光部１０２の各制御エリアに対応した明るさの情報である。コントラスト決定部１０３は、入力された映像の信号値に基づいて各制御エリアの明るさを決定する。決定した各制御エリアの光源明るさ情報ｂｄを光量変化検出部１０７、信号ゲイン情報ｂｓを画像処理部１０４へ出力する。コントラスト決定部１０３における処理の詳細は後述する。
【００２５】
画像処理部１０４は、入力される映像信号に対して、コントラスト決定部１０３より出力される信号ゲイン情報ｂｓを乗算して映像信号を生成する機能部である。画像処理部１０４は、生成された映像信号を表示部１０１および液晶応答検出部１０６に出力する。
【００２６】
応答情報ＴＢＬ１０５は、映像信号変化に応じて表示部１０１における透過率の変化が完了するまでの時間である応答性（応答遅延量、応答遅延時間）を保存したテーブルデータである。図４は、応答性テーブルデータ構造の一例を示す。図４の縦軸は現フレーム（対象フレーム）の信号階調、横軸は１フレーム前（前フレーム）の信号階調である。図４に示す応答性テーブルデータには、現フレームの信号階調と１フレーム前の信号階調との関係から、信号が切り替わり透過率が変化するまでの時間を、１フレーム期間を１として正規化した値が保存されている。
【００２７】
液晶応答検出部１０６は、応答遅延時間に他の光源から拡散される光量が表示部１０１の注目制御エリアを透過する割合を示す透過率変化量ＡＣを検出する機能部である。液晶応答検出部１０６は、画像処理部１０４から出力された映像信号および応答情報ＴＢＬ１０５からの応答性テーブルデータに基づいて透過率変化量ＡＣを検出する。液晶応答検出部１０６は、制御エリアおよびフレーム期間ごとに、透過率変化量ＡＣを検出し、漏光量検出部１０９へ出力する。液晶応答検出部１０６における処理の詳細は後述する。なお、透過率変化量ＡＣは、各制御エリアの点灯タイミングを示した光源点灯位相情報ＴＡを考慮して検出されてもよい。
【００２８】
光量変化検出部１０７は、コントラスト決定部１０３より出力される光源明るさ情報ｂｄと光源点灯位相情報ＴＡに基づいて、サブフレーム期間ごとの発光強度の変化量を示す光源変化情報ｂｆを検出する機能部である。そして、光量変化検出部１０７は、光源変化情報ｂｆを漏光量検出部１０９へ出力する。光量変化検出部１０７における処理の詳細は後述する。
【００２９】
拡散情報ＴＢＬ１０８は、発光部１０２の制御エリア個々を単体で点灯させたときの光量の広がりを保存した拡散情報テーブルデータＦである。この拡散情報テーブルデータＦは、注目制御エリアが発光した場合に、発光部１０２全体に広がる光の発光強度を示した値であり、制御エリア毎にあらかじめ測定し、データ化する。拡散情報テーブルデータＦは漏光量検出部１０９へ出力される。拡散情報テーブルデータＦは、発光する制御エリアの位置を示す行番号，列番号をｍ，ｎ、拡散先エリアの行番号，列番号をｍ’，ｎ’とした４次元行列とする。また、発光する制御エリア毎に拡散情報テーブルデータＦがあり、発光強度の強さに応じて値が大きくなる。
【００３０】
図５（Ａ），図５（Ｂ）は、拡散情報テーブルのデータ構造の模式図を示す。図５（Ａ）は０行、０列目が発光したときの拡散情報テーブル、図５（Ｂ）は１行、０列目が発光したときの拡散情報テーブルを示す。図５（Ａ）では、発光している０行、０列目の値が一番大きく、制御エリアから遠くなるほど拡散光が弱まるために、１行、０列目の値は小さくなっている。
【００３１】
漏光量検出部１０９は、各フレーム期間で決定される理想光量からの誤差である漏れ光量Ｃを検出する機能部である。具体的には、漏光量検出部１０９は、他の光源から注目制御エリアに拡散される光量を示す拡散光量ＦＹと透過率変化量ＡＣとを掛け合わせることで漏れ光量Ｃを検出する。拡散光量ＦＹは、光源変化量ｂｆと拡散情報テーブルデータＦとに基づいて決定される。漏れ光量Ｃは、光源明るさ情報ｂｄに基づいて発光部１０２を点灯した場合の、表示部１０１の応答遅延によって生じる他の光源からの光の透過量（光量）を示す。漏光量検出部１０９は、検出した漏れ光量Ｃを光量決定部１１０に出力する。漏光量検出部１０９における処理の詳細は後述する。
【００３２】
光量決定部１１０は、漏光量検出部１０９より出力される漏れ光量Ｃとコントラスト決定部１０３より出力される光源明るさ情報ｂｄとに基づいて、漏れ光量を低減するようにサブフレーム期間の光源制御情報ｂｇを決定する機能部である。光量決定部１１０は、決定した光源制御情報ｂｇをＬＥＤ駆動部１１１に出力する。光量決定部１１０における処理の詳細は後述する。
【００３３】
ＬＥＤ駆動部１１１は、光量決定部１１０からの光源制御情報ｂｇと、入力された映像信号の同期信号とに基づいて、サブフレーム期間ごとに点灯制御信号Ｖを発光部１０２へ出力する機能部である。
【００３４】
＜処理内容＞
以下、コントラスト決定部１０３、液晶応答検出部１０６、光量変化検出部１０７、漏光量検出部１０９および光量決定部１１０の処理の詳細について説明する。
【００３５】
≪コントラスト決定部１０３：光源明るさ情報ｂｄおよび信号ゲイン情報ｂｓ決定処理≫
コントラスト決定部１０３が、発光部１０２の制御エリアごとの光源明るさ情報ｂｄとおよび信号ゲイン情報ｂｓを計算する方法について説明する。以下に計算手順を示す。
【００３６】
（ステップＳ１０１）
ステップＳ１０１では、コントラスト決定部１０３は、入力された映像信号の各画素データを輝度値に変換する。例えば、映像信号としてＲＧＢ信号が入力された場合、コントラスト決定部１０３は、下記の式（１）を用いて輝度値Ｙに変換する。
【数１】
2019168594.tif 000003
ここで、α、β、γはＲＧＢそれぞれの信号値を輝度に変換する際の輝度換算係数である。
【００３７】
（ステップＳ１０２）
次に、コントラスト決定部１０３は、制御エリアごとにバックライトの明るさを決定する。コントラスト決定部１０３は、制御エリアに含まれる画素について、ステップＳ１０１で計算した輝度値Ｙの平均値Ｙａを算出する。ここで、ｍ行，ｎ列目の点灯制御エリアのバックライトの明るさをＹａｍ，ｎとする。
【００３８】
（ステップＳ１０３）
ステップＳ１０３では、コントラスト決定部１０３は、制御エリア毎に、バックライトの明るさを光源明るさ情報を決定する。ステップＳ１０１およびステップＳ１０２で計算した制御エリア毎の明るさをＹａｍ，ｎ、最大輝度値をＹｍａｘとした場合、制御エリアごとの光源明るさ情報ｂｄは下記の式（２）で決定される。
【数２】
2019168594.tif 000004
【００３９】
ここで、光源明るさ情報ｂｄｍ，ｎは、入力画像信号から求められる領域ｍ，ｎの正規化平均輝度値である。この光源明るさ情報ｂｄｍ，ｎに基づいて、制御エリア毎のＬＥＤの明るさが制御される。なお、ｂｄｍ，ｎは、ｍ行×ｎ列の大きさをもつ行列とする。また、本実施形態では、光源明るさ情報ｂｄｍ，ｎは、８ｂｉｔの値（０〜２５５の整数）で表すものとし、値が大きいほど制御エリアが明るく発光することを示す。また、本実施形態では、コントラスト決定部１０３は、制御エリア毎の明るさに基づいて光源明るさ情報ｂｄを決定したが、映像信号全体の明るさに基づいて光源明るさ情報ｂｄを決定してもよい。
【００４０】
（ステップＳ１０４）
ステップＳ１０４では、コントラスト決定部１０３は、制御エリアごとに、信号ゲインｂｓを決定する。制御エリアごとの信号ゲインｂｓは、制御エリア毎の映像信号に乗算する補正ゲイン情報であり、発光部１０２の輝度制御単位を縦方向にｍ行、横方向にｎ列の分割とした場合、ｍ行，ｎ列目の制御エリアの光源明るさ情報をｂｓｍ，ｎと示す。よって、ｂｓｍ，ｎは、ｍ行×ｎ行の大きさをもつ行列である。コントラスト決定部１０３は、ステップＳ１０３で決定された制御エリアごとの光源明るさ情報ｂｄを用いて、下記の式（３）を用いて信号ゲインｂｓを算出する。
【数３】
2019168594.tif 000005
ここで、ｂｄｍａｘは、光源明るさ情報ｂｄがとりうる最大の値、ｐｇａｍは表示部１０１のガンマ値である。例えば、ガンマ値が２．２の液晶パネルの場合は、ｐｇａｍは２．２である。つまり、式（３）では、コントラスト決定部１０３は、光源の光量を下げた分を信号処理で持ち上げる乗算量を計算する。
【００４１】
≪液晶応答検出部１０６：透過率変化量ＡＣ検出処理≫
液晶応答検出部１０６が、画像処理部１０４から出力された映像と応答性テーブルデータとに基づいて、応答遅延時間に他の光源から拡散される光量が表示部１０１の注目制御エリアを透過する割合である透過率変化量ＡＣを算出する方法について説明する。以下に
計算手順を示す。
【００４２】
（ステップＳ２０１）
ステップＳ２０１では、液晶応答検出部１０６は、入力された映像信号の画素値に基づいて液晶応答値Ａを決定する。液晶応答値Ａは、注目画素が所望の透過率になるまでの時間を表す。例えば、映像信号としてＲＧＢ信号が入力された場合、下記の式（４）を用いて液晶応答値Ａを決定する。
【数４】
2019168594.tif 000006
ここで、ｔａｂｌｅ＿ｒｓｐは応答情報ＴＢＬ１０５の応答性テーブルデータである。Ｒｏｌｄ，Ｇｏｌｄ，Ｂｏｌｄはそれぞれ、１フレーム前の映像信号のＲＧＢデータ（画素値）である。Ｒｎｅｗ，Ｇｎｅｗ，Ｂｎｅｗはそれぞれ、現フレームの映像信号のＲＧＢデータである。ｔａｂｌｅ＿ｒｓｐ（Ｒｎｅｗ，Ｒｏｌｄ）は、応答性テーブルデータのＲｏｌｄ階調からＲｎｅｗ階調に変化したときの応答遅延量を示す。つまり式（４）では、各ＲＧＢ信号の変化から画素単位の応答遅延量が算出される。
【００４３】
（ステップＳ２０２）
次に、液晶応答検出部１０６は、制御エリアごとの平均液晶応答値Ａａｖｇを決定する。液晶応答検出部１０６は、ステップＳ２０１で計算した制御エリアに含まれる各画素の液晶応答値Ａの平均値である各制御エリアの平均液晶応答値Ａａｖｇを決定する。ここで、ｍ行，ｎ列目の点灯制御エリアの平均液晶応答値をＡａｖｇ_ｍ，ｎとする。この平均
液晶応答値Ａａｖｇは、各制御エリアに含まれる画素が、所望の透過率になるまでの平均時間である。
【００４４】
（ステップＳ２０３）
ステップＳ２０３では、液晶応答検出部１０６は、制御エリア毎に透過率変化量ＡＣを決定する。透過率変化量ＡＣは、ステップＳ２０２で決定される制御エリア毎の平均液晶応答値Ａａｖｇを係数Ｋａで除算することにより決定される。ここで、液晶応答検出部１０６は、入力された光源点灯位相情報ＴＡと、映像信号の１つのフレームを開始する時間を０、終了する時間を１とした１フレーム期間中の経過時間ＴＢとに基づいて、制御エリアごとに、透過率変化量ＡＣを決定する。具体的には、ＴＡｍ，ｎ［ＳＮ］−ＴＣ（液晶パネルの応答時間）のうちいずれかがＴＢと同じ値をなる場合（ＴＡｍ，ｎ［ＳＮ］−ＴＣ＝ＴＢ）の制御エリアにおける透過率変化量ＡＣは、以下の式（５）を用いて検出される。
【数５】
2019168594.tif 000007
また、ＴＡｍ，ｎ［ＳＮ］−ＴＣがＴＢより大きい場合（ＴＡｍ，ｎ［ＳＮ］−ＴＣ＞ＴＢ）の制御エリアにおける透過率変化量ＡＣは、以下の式（６）を用いて検出される。
【数６】
2019168594.tif 000008
ここで、係数Ｋａは液晶パネルの応答特性に応じて変わる値、Ａａｖｇ［Ｎ］はＮフレーム目の平均液晶応答値を示す。一般に液晶の応答はＬＯＧ関数のような応答特性を示す。つまり係数Ｋａは、応答遅延時間に他の光源から拡散される光量が表示部１０１の注目制御エリアを透過する割合であるＡＣを簡易計算するための除算係数である。本実施形態では、効果をわかりやすくするために２とするが、係数Ｋａの値は特に限定されない。なお、透過率変化の計算誤差を減らすためには、応答性テーブルデータと同じように、階調変化毎に微小な時間単位で、実際の液晶の透過率に合わせたＫａを用意してもよい。
【００４５】
≪光量変化検出部１０７：光源変化情報ｂｆ検出処理≫
次に、光量変化検出部１０７は、映像信号のフレーム期間ごとに変化する光源明るさ情報ｂｄの差分計算および光源点灯位相情報ＴＡに基づいて光源変化情報ｂｆを決定し、漏光量検出部１０９へ出力する。以下に計算手順を示す。
【００４６】
（ステップＳ３０１）
ステップＳ３０１では、光量変化検出部１０７は、コントラスト決定部１０３から入力された光源明るさ情報ｂｄの差分計算を行う（式７）。
【数７】
2019168594.tif 000009
ここで、ｂｄｍ，ｎ［Ｎ］は、Ｎフレーム目におけるｍ行，ｎ列目の光源明るさ情報である。また、ｂｅｍ，ｎ［Ｎ］は、Ｎフレーム目におけるｍ行，ｎ列目の点灯制御エリアの差分情報である。
【００４７】
（ステップＳ３０２）
次に、光量変化検出部１０７は、光源変化情報ｂｆをサブフレームを考慮した値とするために、光源点灯位相情報ＴＡに応じて、制御エリアごとに光源変化情報ｂｅを光源が実際に点灯する位相に合わせた光源変化情報ｂｆを計算する。光量変化検出部１０７は、入力された映像信号の１つのフレームを開始する時間を０、終了する時間を１とした１フレーム期間中の経過時間ＴＢを元に、制御エリアごとに、光源変化情報ｂｆの検出を行う。ここで、ＴＡｍ，ｎ［ＳＮ］のサブフレームのうちいずれかかがＴＢと同じ値となる場合（ＴＡｍ，ｎ［ＳＮ］＝ＴＢ）の制御エリアにおける光源変化情報ｂｆは以下の式（８）を用いて検出される。
【数８】
2019168594.tif 000010
また、ＴＡｍ，ｎ［ＳＮ］がＴＢより大きい場合（ＴＡｍ，ｎ［ＳＮ］＞ＴＢ）の制御エリアにおける光源変化情報ｂｆは以下の式（９）を用いて検出される。
【数９】
2019168594.tif 000011
【００４８】
一般的に、バックライト点灯は、画面上部から下部に向けて順次点灯している。つまり式（８）および式（９）によって、順次点灯するバックライトのサブフレーム期間ごとの明るさが検出される。上記により、各制御エリアの点灯タイミングにおける明るさ情報を正確に把握して、光源が瞬間的に発光する状態を推測することが可能となる。
【００４９】
≪漏光量検出部１０９：漏れ光量Ｃ検出処理≫
漏光量検出部１０９が、フレーム期間ごとに、発光部１０２で発光した光が表示部１０
１を透過したときの、各フレーム期間で決定される理想光量からの誤差である漏れ光量Ｃを検出する方法について説明する。漏光量検出部１０９は、光量変化検出部１０７から出力された光源変化情報ｂｆ、拡散情報ＴＢＬ１０８の拡散情報テーブルデータＦおよび液晶応答検出部１０６より検出される透過率変化量ＡＣに基づいて漏れ光量Ｃを検出する。以下に計算手順を示す。
【００５０】
（ステップＳ４０１）
ステップＳ４０１では、漏光量検出部１０９は、光量変化検出部１０７から出力された光源変化情報ｂｆと拡散情報ＴＢＬ１０８の拡散情報テーブルデータＦを乗算して、制御エリアごとの拡散光量ＦＹを計算する（式１０）。
【数１０】
2019168594.tif 000012
【００５１】
（ステップＳ４０２）
次に、ステップＳ４０２では、漏光量検出部１０９は、拡散光量ＦＹと液晶応答検出部１０７からの透過率変化量ＡＣとに基づいて、制御エリアごとの漏れ光量Ｃｍ，ｎを算出する。本実施形態では、漏れ光量Ｃｍ，ｎは、拡散光量ＦＹと液晶応答検出部１０７からの透過率変化量ＡＣとを乗算することにより算出される（Ｃｍ，ｎ＝ＦＹｍ，ｎ×ＡＣｍ，ｎ）。
【００５２】
≪光量決定部１１０：光源制御情報ｂｇ決定処理≫
光量決定部１１０が、漏光量検出部１０９から出力された漏れ光量Ｃが小さくなるようサブフレーム期間の光源制御情報ｂｇを算出する方法について説明する。以下に計算手順を示す。
【００５３】
（ステップＳ５０１）
ステップＳ５０１では、光量決定部１１０は、各制御エリアの１フレーム分の漏れ総量ＣＤを算出する（式１１）。
【数１１】
2019168594.tif 000013
【００５４】
（ステップＳ５０２）
次に、ステップＳ５０２では、光量決定部１１０は、制御エリア間（領域間）の漏れ総量ＣＤの最大値と最小値の差分値である差分ＣＥを検出する（式１２）。
【数１２】
2019168594.tif 000014
【００５５】
（ステップＳ５０３）
次に、ステップＳ５０３では、光量決定部１１０は、差分ＣＥが閾値Ｔｈより大きい（閾値以上）か否か（閾値未満）を判断して光源制御情報ｂｇを決定する。閾値Ｔｈは、１フレーム期間で変化させてもよい光量の割合であり、制御エリア間における漏れ光量差があってもフリッカとして視認されにくい値を設定する。差分ＣＥが閾値Ｔｈ以下の場合または最終サブフレームの場合は、光量決定部１１０は、以下の式（１３）を用いて光源制御情報ｂｇを決定する。
【数１３】
2019168594.tif 000015
上記以外の場合は、光量決定部１１０は、以下の式（１４）を用いて光源制御情報ｂｇを決定する。
【数１４】
2019168594.tif 000016
ただし、サブフレームＳＮ＝１の場合は、ｂｇｍ，ｎ［ＳＮ−１］＝ｂｄｍ，ｎ［Ｎ−１］とする。ここで、Ｕ（０≦Ｕ≦１００）はサブフレームにおける光源の明るさを抑える度合を示す。Ｕの値が小さい程、サブフレーム間の変化量が小さくなるため、光源の明るさは緩やかに変化する。
【００５６】
なお、閾値Ｔｈは、表示部１０１および発光部１０２の特性ごとに応じて決定される値であり、あらかじめ計測器や目視により測定して決めることができる。また、Ｕと閾値Ｔｈとは同じ値でもよく、異なる値でもよい。
【００５７】
以上の処理を行うことで、制御エリアごとに、光源のサブフレーム発光（ＦＹ）と、液晶の応答遅延（ＡＣ）とに基づく漏れ光量Ｃが算出される。そして、漏れ光量が視認されないよう、光源のサブフレーム輝度（ｂｇ）を制御することができる。つまり、フリッカを抑制することが可能となる。
【００５８】
＜適用例１＞
具体的なフリッカの抑制制御を行った適用例を、図６〜図１０を用いて説明する。まず、入力された映像信号について説明する。
【００５９】
図６は、映像信号の時間変化イメージの一例を示す図である。映像信号６０１は、階調値が１２８階調のグレー背景に、画面中央部に階調値が０となる小面積映像が表示されている。映像信号６０２は、階調値が１２８階調のグレー背景に、画面中央部に階調値が２５５となる小面積映像が表示されている。映像信号６０３，６０４は、映像信号６０１と同じ映像信号である。
【００６０】
図６の映像信号を表示させる発光部１０２は、図２で説明した模式図と同様、画面が上下２つの領域に分割されている。この制御領域１０２０１，１０２０２の中でグレー背景部に対応する映像信号の領域を、それぞれ領域６１１，６１２とする。
【００６１】
≪従来手法≫
次に、従来の制御における入力された映像信号に合わせてコントラスト決定部１０３が決定した液晶の透過率と、光源制御値との変化について説明する。
【００６２】
図７は、従来手法における、映像信号の変化に合わせて液晶の透過率および光源の点灯制御の一例を示す図である。図７では、コントラスト決定部１０３が、入力された映像信号６０１から６０４にかけて、液晶の透過率を半分、光源の明るさを２倍に制御した場合を例に説明する。また、液晶パネルのガンマ値（ｐｇａｍ）は計算を簡略化するために１．０とする。
【００６３】
図７の同期信号７０１は、入力された映像信号の垂直同期信号である。７０２は、領域６１１の液晶の透過率変化を示す透過率信号である。７０３は領域６１２の液晶の透過率変化を示す透過率信号である。７０４は、領域６１１に対応する液晶部に映像信号６０２が表示されるフレーム期間である。７０５は、領域６１２に対応した液晶部に映像信号６０２を表示させるまでの待ち時間である。７０６は、領域６１２に対応した液晶部に映像信号６０２を表示させるフレーム期間である。領域６１１，６１２ともに、映像信号６０１が映像信号６０２に変化したときに、階調値は１２８から６４の半分にされている。本模式図では、簡略化のために液晶の応答を線形的に変化するとして説明する。
【００６４】
また、７１０は、領域６１１の光源の明るさ変化を示した明るさ制御信号である。７１１は、領域６１２の光源の明るさ変化を示した明るさ制御信号である。７１２は、領域６１１の光源の明るさ制御を光源点灯位相情報ＴＡに応じて、液晶の応答変化が安定する０．５フレーム期間遅らせる時間である。７１３は、領域６１１が映像信号６０２に対応した光源の点灯制御を行うフレーム期間である。７１４は、領域６１２の光源の明るさ制御を光源点灯位相情報ＴＡに応じて、液晶の応答変化が安定する１．０フレーム期間遅らせる時間である。７１５は、領域６１２が映像信号６０２に対応した光源の点灯制御を行うフレーム期間である。領域６１１，６１２ともに、映像信号６０１が映像信号６０２に変化したときに、表示輝度が変わらないよう、光源の明るさ制御量は２５から５０の２倍にされている。
【００６５】
図８は、従来手法における、図７の透過率制御と光源制御を行った場合の漏れ光量Ｃの結果の一例を示す図である。注目すべきフレームを映像６０２が入力されたフレームとする。
【００６６】
計算結果８０１，８０２は、それぞれ領域６１１，６１２の透過率変化量ＡＣの計算結果である。透過率変化量ＡＣは、図４の応答性テーブルデータを用いて計算される。領域６１１，６１２ともに透過率変化がない期間は０．０、１２８階調から６４階調あるいは６４階調から１２８階調に変化している期間は０．５となっている。映像信号６０４が表示されるフレーム期間７０４，７０６では、液晶の透過率が変化している期間が０．５、その以降の透過率変化が安定化した期間では０．０となっている。
【００６７】
計算結果８０３，８０４は、それぞれ領域６１１，６１２の光源の拡散光量ＦＹの従来手法における計算結果である。拡散光量ＦＹは、図５（Ａ），図５（Ｂ）の拡散テーブルデータを用いて計算される。領域６１１は領域６１２からの光量が加算され、領域６１２は領域１からの光量が加算された結果となっている。映像信号６０２が表示されるフレーム期間７１３では、液晶の透過率変化が安定した期間の拡散光量ＦＹは６２．５、その後の透過率が変化する期間では７５．０となっている。フレーム期間７１５では、液晶の透過率変化が安定した期間の拡散光量ＦＹは７５．０、その後の透過率が変化する期間では６２．５となっている。
【００６８】
計算結果８０５，８０６は、それぞれ領域６１１，６１２の漏れ光量Ｃの従来手法における計算結果である。漏れ光量Ｃは、透過率変化量ＡＣと拡散光量ＦＹとを用いて計算される。領域６１１，６１２ともに、液晶の透過率が変化している期間において拡散光量ＦＹが漏れ光量Ｃとして視認されることとなる。
【００６９】
映像信号６０２が表示されるフレーム期間７１３では、トータル漏れ光量は３７．５となっている。フレーム期間７１５では、トータル漏れ光量は３１．３となっている。このように領域６１１と領域６１２では、漏れ光量が異なるため、この光量差がフリッカとして視認されてしまう。
【００７０】
つまり、液晶パネルの応答に合わせて光源の明るさを変化させる位相をずらしている従来手法ではフリッカが視認されてしまう。
【００７１】
≪本手法≫
次に、本実施形態における制御でどのような漏れ光量Ｃが発生するかについて説明する。
【００７２】
図９は、本実施形態における、図７の液晶の透過率および光源の点灯制御の一例を示す図である。なお、光量決定部の閾値Ｔｈを０として計算した結果を示す。
【００７３】
信号９０１は領域６１１の光源の明るさ変化を示した明るさ制御信号である。信号９０２は領域６１２の光源の明るさ変化を示した明るさ制御信号である。本実施形態では、図９の期間７１３における１つ目のサブフレーム期間の光源制御値を変化させないよう明るさが制御される。また同様に、期間７１５の１つ目のサブフレーム期間の光源制御値も変化させないように明るさが制御される。これは、図８に示すように、漏光量検出部１０９が領域６１１と領域６１２に漏れ光量差が発生すると判断するためである。
【００７４】
図１０は、本実施形態における、図９の光源制御を行った場合の漏れ光量Ｃを示す図である。注目すべきフレームを図８と同様に、映像６０２が入力されたフレームとする。
【００７５】
計算結果１００１，１００２は、それぞれ領域６１１，６１２の光源の本実施形態における拡散光量ＦＹの計算結果である。映像信号６０２が表示されるフレーム期間７１３では、液晶の透過率変化が安定した期間の拡散光量ＦＹは３７．５、その後の透過率が変化する期間では６２．５となる。フレーム期間７１５では、液晶の透過率変化が安定した期間の拡散光量ＦＹは３７．５、その後の透過率が変化する期間では６２．５となる。このように、領域６１１，６１２ともに同じ拡散光量ＦＹとなる。
【００７６】
計算結果１００３，１００４はそれぞれ領域６１１，６１２の漏れ光量Ｃの計算結果である。映像信号６０２が表示されるフレーム期間７１３では、漏れ光量の総量は３１．３となっている。フレーム期間７１５では、漏れ光量の総量は３１．３となっている。このように、領域６１１，６１２ともに同じ漏れ光量となるため、フリッカは軽減される。つまり、サブフレーム期間の光量制御し、漏れ光量差が発生しないよう制御することでフリッカを抑制することが可能となる。
【００７７】
このように上述の処理を行うことで、制御エリアごとに光源のサブフレーム発光と液晶の応答遅延とに基づく漏れ光量が計算できる。そして、漏れ光量が視認されないよう光源のサブフレーム輝度を制御することで、漏れ光量が低減されるためフリッカを抑制することが可能となる。
【００７８】
また、一般に、液晶の応答速度は約８ｍｓと１フレーム期間の半分程度と遅いため、光源をサブフレーム発光させる場合には、光源の光量を徐々に変化させることで漏れ光が低減する。例えば、光源の光量変化が明るくなる場合には、線形的な輝度変化を基準とすると、光源のサブフレーム発光が下凸の明るさ変化を示す制御となる。また、光源の光量変化が暗くなる場合には、線形的な輝度変化を基準とすると、光源のサブフレーム発光が上凸の明るさ変化を示す制御となる。
【００７９】
＜適用例２＞
サブフレーム数が５の場合の光源の点灯制御（輝度を減少する場合）を行った適用例を、図１１を用いて説明する。
【００８０】
図１１は、従来手法および実施形態１に係る光源制御情報の一例を示す図である。図１１では、Ｎ−１フレーム目の場合光源明るさ情報ｂｄ（０〜１００（％））が５０（％）であり、Ｎ〜Ｎ＋２フレーム目の場合光源明るさ情報ｂｄが１０（％）である。信号１１０２，１１０３は、従来手法における光源の点灯制御情報ｂｇである。また、信号１１０４，１１０５は、実施形態１における光源の点灯制御情報ｂｇである。それぞれ液晶パネルの応答遅延時間を０．４とした例を示している。
【００８１】
信号１１０２，１１０３は、応答遅延時間以降のサブフレーム（ＳＮ＝３）でＮフレーム目の光源明るさ情報ｂｄに対応する１０％でサブフレームの点灯制御を行っている。一方、信号１１０４，１１０５は、本実施形態におけるサブフレームごとの点灯制御情報である。ここで、図１１では、Ｎフレームにおける信号１１０４，１１０５が線形より緩やかに変化するよう点灯制御を行う例を示す。信号１１０４，１１０５では、具体的には、Ｎフレーム目のサブフレーム（ＳＮ＝１〜５）の点灯を４４→３６→２５→１０→１０（％）としている。また、サブフレーム間の変化量を徐々に大きくすることでユーザに漏れ光を視認されにくくしている。このため、上述したように制御エリア間で漏れ光量差が大きい場合でも、光源の発光強度を徐々に変えることで、フリッカを抑制している。
【００８２】
＜適用例３＞
サブフレーム数が５の場合の光源の点灯制御（輝度を増加する場合）を行った適用例を、図１２を用いて説明する。
【００８３】
図１２は、従来手法および実施形態１に係る光源制御情報の一例を示す図である。図１２では、Ｎ−１フレーム目の場合光源明るさ情報ｂｄ（０〜１００（％））が１０（％）であり、Ｎ〜Ｎ＋２フレーム目の場合光源明るさ情報ｂｄが５０（％）である。信号１２０２，１２０３は、従来手法における光源の点灯制御情報ｂｇである。また、信号１２０４，１２０５は、実施形態１における光源の点灯制御情報ｂｇである。それぞれ液晶パネルの応答遅延時間を０．４とした例を示している。
【００８４】
信号１２０２，１２０３は、応答遅延時間以降のサブフレーム（ＳＮ＝３）でＮフレーム目の光源明るさ情報ｂｄに対応する５０％でサブフレームの点灯制御を行っている。一方、信号１２０４，１２０５は、本実施形態におけるサブフレームごとの点灯制御情報である。ここで、図１２では、Ｎフレームにおける信号１２０４，１２０５が線形より緩やかに変化するよう点灯制御を行う例を示す。信号１２０４，１２０５では、具体的には、Ｎフレーム目のサブフレーム（ＳＮ＝１〜５）の点灯を１６→２４→３５→５０→５０（％）としている。また、サブフレーム間の変化量を徐々に大きくすることでユーザに漏れ光を視認されにくくしている。このため、上述したように制御エリア間で漏れ光量差が大きい場合でも、光源の発光強度を徐々に変えることで、フリッカを抑制している。
【００８５】
＜本実施形態の作用効果＞
以上説明したように、液晶応答検出部１０６がサブフレームごとの液晶の応答遅延による透過率変化を計算する。次に、光量変化検出部１０７が、サブフレームごとの光源制御変化量を計算する。このサブフレームごとの透過率変化量と光源制御変化量から漏れ光量を計算し、サブフレームごとの漏れ光量が低減する光量制御値を決定する処理を行う。この制御によりサブフレームごとの漏れ光量が低下し、フリッカを抑制することが可能となる。したがって、表示装置を用いて、映像に応じて、光源および表示部の明るさを変える制御を行っても、フリッカを抑制することが可能となる。
【００８６】
＜変形例＞
本実施形態では、１フレーム期間の領域毎の漏れ光量から、サブフレーム期間の光源制御を行う説明を行った。これは画面全体の光源を一律同じように変化させるＧＤ制御では
効果的な制御方法となる。ただし、ＬＤ制御では、制御エリアごとに光源の明るさ増減方向や変化量が異なる。この場合、サブフレーム期間ごとに漏れ光量差を検出し、サブフレーム期間の光源制御を行うことで、より漏れ光量を低減させることが可能となる。
【００８７】
本実施形態では、応答情報ＴＢＬ１０５のテーブルデータを１種類だけ用意して漏れ光量を低減する制御について説明した。液晶パネルは駆動する周波数や入力された映像信号の周波数に応じて応答速度が変化するため、応答情報ＴＢＬ１０５のテーブルデータを駆動周波数ごとに用意し、切替えて使用してもよい。このように制御することで液晶パネルの駆動周波数ごとに、漏れ光量を低減することができるようになり、よりフリッカを抑制することが可能となる。
【００８８】
本実施形態では、光量決定部１１０が制御エリアごとの漏れ光量差（漏れ光量の最大−漏れ光量の最小）が小さくするよう制御する例について説明した。しかし、各制御エリア間の漏れ光量差が小さくても、発生する漏れ光量の大きさ自体がそもそも大きいと画面全体がフリッカしたように見えてしまう。そこで、光量決定部１１０は、漏れ光量が所定の閾値以上となる制御エリアを検出し、（所定の閾値以上となる漏れ光量が存在する場合）この制御エリアの漏れ光量が小さくなるよう画面全体の光源を制御してもよい。このように制御することで画面全体としての漏れ光量が小さくなり、画面全体のフリッカを抑制することが可能となる。なお、光量決定部１１０は、漏れ光量が最大となる制御エリアを検出し、この制御エリアの漏れ光量が小さくなるよう画面全体の光源を制御してもよい。
【００８９】
本実施形態では、サブフレーム間の点灯制御情報を徐々に変化させる例について説明したが、各光源の目標輝度を設定可能としてもよい。具体的には、対象フレームの明るさに基づいて各光源の目標輝度が設定され、光量決定部１１０は、前フレーム期間の最終サブフレームにおける各光源の発光輝度と目標輝度の範囲で、対象フレーム期間のサブフレーム期間における各光源の発光輝度を制御する。例えば、前フレームより対象フレームが明るい場合は、光量決定部１１０は、前フレーム期間の最終サブフレームにおける発光輝度以上、目標輝度以下の範囲で対象フレーム期間のサブフレーム期間における各光源の発光輝度を制御してもよい。
【００９０】
［実施形態２］
以下、本発明の実施形態２について説明する。
【００９１】
＜概要＞
第１の実施形態では、漏光量検出部１０９が光源の明るさ情報と液晶応答情報に基づいて漏れ光量を検出し、光量決定部１１０が発光部のサブフレーム期間の光量制御を行うことで、フリッカを抑制することを行った。これに対して、本実施形態は、光源の明るさ情報変化から光源の光量を制御するという点で、実施形態１と異なる。以下、実施形態１と異なる構成や処理について詳しく説明し、実施形態１と同様の構成や処理については同じ番号を付し説明を省略する。
【００９２】
＜全体構成＞
図１３は、本実施形態に係る表示装置２００の一例を示す機能ブロック図である。表示装置２００は、演算装置（プロセッサ）、メモリ、記憶装置、入出力装置等を含む情報処理装置（コンピュータ）である。記憶装置に格納されたプログラムを表示装置２００が実行することで、表示装置２００の、表示部１０１、発光部１０２、コントラスト決定部１０３、画像処理部１０４、ＬＥＤ駆動部１１１等の機能が提供される。また、本実施形態では、記憶装置に格納されたプログラムを表示装置２００が実行することで、表示装置２００の、フレームメモリ２０１、差分情報ＴＢＬ２０２、差分光量決定部２０３等の機能が提供される。これらの機能の一部または全部は、ＡＳＩＣやＦＰＧＡなどの専用の論理
回路により実装されてもよい。
【００９３】
フレームメモリ２０１は、コントラスト決定部１０３から出力される光源明るさ情報ｂｄ（ｂｄ［Ｎ］）をフレームごとに一時的に保存し、１フレーム遅らせた光源明るさ情報ｂｄ（ｂｄ［Ｎ−１］）を差分光量決定部２０３へ出力する。
【００９４】
差分情報ＴＢＬ２０２は、光源明るさ情報ｂｄの変化量から漏れ光量を低減するサブフレーム期間の制御ゲイン情報を保存したゲイン情報テーブルＨ（ＬＵＴ）である。図１４は、制御ゲインテーブルデータ構造の模式図を示す。図１４の縦軸は現フレームの光源明るさ情報、横軸は１フレーム前の光源明るさ情報とする。また図１４（ａ）、図１４（ｂ）に、サブフレーム番号ごとの制御ゲイン値が保存されている。
【００９５】
ゲイン情報テーブルＨは、あらかじめ計測器等でデータを作成することができる。図１４のテーブルデータは、現フレームの光源明るさ情報と１フレーム前の光源明るさ情報の関係から、漏れ光を低減できるサブフレーム期間の明るさ補正ゲイン値が正規化した値で保存されている。また、発光する制御エリアの位置を示す行番号，列番号をｍ，ｎ、サブフレーム番号をＳＮとすると、ｍ行ｎ列でサブフレーム番号がＳＮの制御ゲイン値はＨｍ，ｎ［ＳＮ］と記載する。
【００９６】
差分光量決定部２０３は、差分情報ＴＢＬ２０２からの制御ゲインＨと、コントラスト決定部１０３からの光源明るさ情報ｂｄに基づいて、漏れ光量と光源明るさ情報に基づいて、サブフレーム期間の光源制御情報ｂｇを決定する決定部である。計算は、式（１５）を用いる。
【数１５】
2019168594.tif 000017
【００９７】
このように光源明るさ情報ｂｄの変化量に基づいて、制御ゲイン値を用いてサブフレーム期間の光源光量を制御することで漏れ光量を低減することが可能となる。つまり、漏れ光量を低減することで、実施形態１と同様にフリッカを抑制することが可能となる。
【００９８】
＜本実施形態の作用効果＞
以上説明したように、本実施形態では、差分光量決定部２０３が、フレームごとに変化する光源明るさ情報ｂｄから、漏れ光量が発生しないようサブフレームごとの光源光量制御を行う。これにより、サブフレームごとに光源輝度を制御することで漏れ光量が低減し、フリッカを抑制させることが可能となる。
【００９９】
＜変形例＞
本実施形態では、サブフレーム期間の光源制御を、差分情報ＴＢＬに基づいて行う例について説明を行った。なお、差分情報ＴＢＬのテーブルデータ構造を数式化して制御計算を行ってもよい。例えば、フレームごとに変化する光源明るさ情報ｂｄの差分情報から制御ゲインＨを算出し、上記の式（１５）を用いることで、漏れ光量を低減した制御が可能となる。
【０１００】
実施形態１でも述べたが、一般に、液晶の応答速度は約８ｍｓと１フレーム期間の半分程度と遅い。このため、光源をサブフレーム発光させる場合には、光源の光量を徐々に変化させることで漏れ光が低減する。つまり、光源の変化量を指数関数的に変化させるような制御ゲインＨを算出することで、漏れ光量を低減させること可能となる。特に、ＧＤ制御のように光源光量や表示階調を面内一律で同じだけ変化させるような場合、このような簡易的な検出および制御でもフリッカを抑制する効果を得ることが可能となる。
【０１０１】
［その他］
上述の実施形態では、表示装置の内部に表示制御装置が含まれる例について説明したが、表示装置とは別体として設けられる表示制御装置のみで上述の処理を実施してもよい。
【０１０２】
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【０１０３】
１０１：表示部              １０２：発光部          １０３：コントラスト決定部
１０４：画像処理部          １０５：応答情報ＴＢＬ  １０６：液晶応答検出部
１０７：光量変化検出部      １０８：拡散情報ＴＢＬ  １０９：漏光量検出部
１１０：光量決定部          １１１：ＬＥＤ駆動部
【図１】
2019168594.tif 000018
【図２】
2019168594.tif 000019
【図３】
2019168594.tif 000020
【図４】
2019168594.tif 000021
【図５】
2019168594.tif 000022
【図６】
2019168594.tif 000023
【図７】
2019168594.tif 000024
【図８】
2019168594.tif 000025
【図９】
2019168594.tif 000026
【図１０】
2019168594.tif 000027
【図１１】
2019168594.tif 000028
【図１２】
2019168594.tif 000029
【図１３】
2019168594.tif 000030
【図１４】
2019168594.tif 000031